(57)【要約】【課題】接続箇所を減らして作業性を向上させることができる接続金物及び接続方法を提供する。【解決手段】一実施形態に係る接続金物は、第１野縁３と、第１野縁３から第１野縁３と交差する第２方向Ｄ２に延在する第２野縁４と、を接続する接続金物１である。この接続金物１は、第１野縁３と第２野縁４との交差部分Ｐ１において第１野縁３に嵌り込む折り曲げ部１３と、交差部分Ｐ１において第２野縁４に嵌り込む嵌入部１２と、鉛直方向上方から見て周囲よりも内側に窪んだ凹部１４と、を備える。【選択図】図２
2018040216.tif 000002
【特許請求の範囲】
【請求項１】
第１野縁と、前記第１野縁から前記第１野縁と交差する方向に延在する第２野縁と、を接続する接続金物であって、
前記第１野縁と前記第２野縁との交差部分において前記第１野縁に嵌り込む第１嵌入部と、
前記交差部分において前記第２野縁に嵌り込む第２嵌入部と、
鉛直方向上方から見て周囲よりも内側に窪んだ凹部と、
を備える接続金物。
【請求項２】
前記第２嵌入部は、前記第２野縁に沿うように折り返された折り返し部である、
請求項１に記載の接続金物。
【請求項３】
第１野縁と、前記第１野縁から前記第１野縁と交差する方向に延在する第２野縁と、を請求項１又は２に記載の接続金物で接続する接続方法であって、
前記第１野縁に鉛直方向上方から前記第１嵌入部を嵌入する工程と、
前記第２嵌入部に鉛直方向下方から前記第２野縁を嵌入する工程と、
を備える接続方法。
【発明の詳細な説明】
【技術分野】
【０００１】
本発明は、吊り天井を構成する複数の野縁を接続する接続金物及び接続方法に関する。
【背景技術】
【０００２】
実開昭５８−１８３８１３号公報には、互いに交差する２本の野縁を接続するクロス止具が記載されている。この公報では、建物の天井フロアを構成する天井ボードに貼り付けられる下地部材として複数の野縁が設けられており、２本の野縁が交差する箇所にクロス止具が設けられる。クロス止具は、平板状の金属部材が折り曲げ加工されて形成される。このクロス止具は、下方に折り曲げられて一の野縁に上から入り込む主嵌合部と、下方に折り曲げられて他の野縁に上から入り込む副嵌合部とを備えている。この取付金具は、主嵌合部及び副嵌合部のそれぞれが各野縁に上から嵌合することによって２本の野縁を接続する。
【先行技術文献】
【特許文献】
【０００３】
【特許文献１】実開５８−１８３８１３号公報
【発明の概要】
【発明が解決しようとする課題】
【０００４】
ところで、互いに交差する２本の野縁を接続する接続金物（クロス止具）の上には、野縁受けを設置することがある。この場合、例えば、野縁受けの下に野縁を配置し、野縁受けに設置した野縁取付金物等と野縁を接続し、且つ、接続金物と野縁を接続する。しかしながら、この方法では、鉛直方向上方から見たときの野縁取付金物の位置が接続金物からずれるので、野縁の上に野縁受けを安定して配置できない。従って、野縁とは異なる位置に野縁受けを配置しなければならないので、接続箇所が多くなり作業性の点で改善の余地がある。
【０００５】
本発明は、このような問題に鑑みてなされたものであり、接続箇所を減らして作業性を向上させることができる接続金物及び接続方法を提供することを目的とする。
【課題を解決するための手段】
【０００６】
本発明に係る接続金物は、第１野縁と、第１野縁から第１野縁と交差する方向に延在する第２野縁と、を接続する接続金物であって、第１野縁と第２野縁との交差部分において第１野縁に嵌り込む第１嵌入部と、交差部分において第２野縁に嵌り込む第２嵌入部と、鉛直方向上方から見て周囲よりも内側に窪んだ凹部と、を備える。
【０００７】
この接続金物は、鉛直方向上方から見たときに内側に窪んだ凹部を有するので、この凹部に野縁受けを接続する野縁取付金物等を収容することができる。凹部に野縁取付金物等を収容することにより、鉛直方向上方から見たときの野縁取付金物等の位置と接続金物の位置とを一致させることができると共に、野縁受けと野縁の平面視における位置を一致させることができる。従って、野縁の上に安定して野縁受けを配置することができる。よって、野縁の上に野縁受けを配置することにより、接続箇所を減らして作業性を向上させることができる。
【０００８】
また、前述の接続金物において、第２嵌入部は、第２野縁に沿うように折り返された折り返し部であってもよい。このように、第２野縁に沿った折り返し部を有することにより、第２野縁からの接続金物の抜けを一層確実に防止できる。従って、第２野縁に接続金物を一層強固に接続させることができる。
【０００９】
本発明に係る接続方法は、第１野縁と、第１野縁から第１野縁と交差する方向に延在する第２野縁と、を前述の接続金物で接続する接続方法であって、第１野縁に鉛直方向上方から第１嵌入部を嵌入する工程と、第２嵌入部に鉛直方向下方から第２野縁を嵌入する工程と、を備える。
【００１０】
この接続方法では、第１野縁に鉛直方向上方から接続金物の第１嵌入部を嵌入し、第２嵌入部に鉛直方向下方から第２野縁を嵌入する。従って、嵌入のみで接続金物を接続させることができるので、野縁への接続金物の接続作業を容易に行うことができる。また、この接続方法では、前述した接続金物を用いて複数の野縁を接続する。よって、野縁の上に更に野縁受けを配置する場合には、野縁受けを接続する野縁取付金物等を接続金物の凹部に収容することができる。従って、安定して野縁受けを野縁の上に配置することができるので、接続箇所を減らして作業性を向上させることができる。
【発明の効果】
【００１１】
本発明によれば、接続箇所を減らして作業性を向上させることができる。
【図面の簡単な説明】
【００１２】
【図１】実施形態に係る接続金物を備えた天井構造の一例を示す斜視図である。
【図２】第１野縁、第２野縁及び接続金物を示す斜視図である。
【図３】接続金物を示す斜視図である。
【図４】図３とは別の方向から見た接続金物を示す斜視図である。
【図５】接続金物と第２野縁との嵌入部分を示す断面図である。
【図６】第１野縁と第２野縁を接続させる接続方法を示す斜視図である。
【図７】野縁受けに接続金物と野縁を接続させる接続方法を示す斜視図である。
【図８】野縁受けに接続金物と野縁を接続させた状態を示す斜視図である。
【発明を実施するための形態】
【００１３】
以下では、図面を参照しながら本発明の実施形態について詳細に説明する。図面の説明について同一又は相当する要素には同一の符号を付し、重複する説明を省略する。
【００１４】
図１は、本実施形態に係る接続金物１を備えた天井構造の一例を示す斜視図である。図１に示されるように、接続金物１を備えた天井構造は、建物の上部から吊り下げられた吊材Ｔと、吊材Ｔが支持すると共に建物の天井を構成する複数の天井面材５とを備えている。この天井構造は、吊材Ｔが接続される野縁受け２と、野縁受け２に直交する第１野縁３と、野縁受け２と平行に延びる複数の第２野縁４とを備えている。第１野縁３の高さは、例えば第２野縁４の高さと同一である。また、第１野縁３と第２野縁４とは、同一平面内に配置されている。
【００１５】
以下では、第１野縁３が延びる方向を第１方向Ｄ１、第２野縁４が延びる方向を第２方向Ｄ２として説明する。例えば、第１野縁３及び第２野縁４は、共に天井面材５にビス止めされている。天井面材５は正方形状とされており、例えば天井面材５の一辺の長さは０．９ｍ程度である。天井面材５は、例えば、ポリエステル製の不織布基材を備えた天井材であってもよく、この場合、従来の天井材よりも軽量化することが可能である。天井面材５が軽量化されている場合には、地震等による天井面材５の落下に対する安全性が高められる。天井面材５の重量は、例えば石膏ボードの重量の１／１０である。一例として、天井面材５の単位面積当たりの重量は０．７ｋｇ／ｍ２であり、天井面材５の厚さは４．０ｍｍである。また、天井面材５は、既存のロックウール等よりも高い断熱性を備えており、天井面材５の熱伝導率は例えば０．０３３（Ｗ／ｍ・Ｋ）である。
【００１６】
接続金物１は、第１野縁３及び第２野縁４の交差部分Ｐ１と、野縁受け２、第１野縁３及び第２野縁４の交差部分Ｐ２とに配置される。接続金物１は、金属板が折り曲げ加工されて形成されているため高い強度を有する。従って、軽量化された天井面材５を用いた場合であっても接続金物１によって天井構造の強度を十分に確保することができる。
【００１７】
図２に示されるように、接続金物１は、第１野縁３及び第２野縁４の交差部分Ｐ１において、第１野縁３と第２野縁４とを緊結する。第２野縁４は、交差部分Ｐ１において２本に分断されており、各第２野縁４の第２方向Ｄ２の端部４ａが第１野縁３の側面３ａに対向している。接続金物１は、一の第２野縁４の端部４ａと、第１野縁３と、他の第２野縁４の端部４ａとを接続する。
【００１８】
第１野縁３を、その長手方向に直交する面で切断したときの断面は、上方に開口した形状とされている。この断面の形状は、例えば、上方に開口するコの字状である。第２野縁４の形状についても同様である。また、第１野縁３は、その上端で矩形状に内側且つ下方に折り返された折り返し部３ｂを、第１野縁３の幅方向に一対に備える。第２野縁４も同様の折り返し部４ｂを備える。
【００１９】
図３及び図４に示されるように、接続金物１は、略長方形状の上部１１と、上部１１の長手方向の両端において下方に折り曲げられた一対の嵌入部１２（第２嵌入部）と、上部１１の幅方向両端から下方に折り曲げられた一対の折り曲げ部１３（第１嵌入部）と、嵌入部１２の下方で接続金物１の内側に折り返された折り返し部２１と、折り曲げ部１３の下方で接続金物１の外側に折り曲げられた折り曲げ部２２とを備えている。
【００２０】
上部１１は、溝部１１ａを備える。この溝部１１ａは、例えば上部１１の幅方向の中央において上部１１の長手方向に延在している。このように、上部１１は、溝部１１ａを備えることにより、更に強度が高められている。嵌入部１２は、上部１１から下方に折り曲げられた側面部１２ａと、側面部１２ａの左右両端からＬ字状に突出する突出部１２ｄと、を有する。この突出部１２ｄの上下に延びる部分と側面部１２ａとの間に窪み１２ｃが設けられる。また、本実施形態において、上部１１は、平坦状とされており、上部１１から上方に突出する部位を有しない。これにより、上部１１の上に、容易に且つ安定して野縁受け２を乗せることが可能となっている。
【００２１】
折り返し部２１は、嵌入部１２から下方に延びる側面部２１ａと、側面部２１ａの下端で接続金物１の内側に折り曲げられた底面部２１ｂとを有する。折り返し部２１は、接続金物１の長手方向の両端に一対に設けられている。各側面部２１ａは、嵌入部１２の側面部１２ａから下方に延びており、側面部１２ａと同一平面上に位置する。各底面部２１ｂは、各側面部２１ａの下端から接続金物１の長手方向の内側に折り曲げられている。なお、底面部２１ｂは、側面部２１ａの下端から接続金物１の外側に折り曲げられていてもよい。
【００２２】
図２及び図５に示されるように、嵌入部１２は、第２野縁４の端部４ａに嵌入する。このとき、折り返し部２１の底面部２１ｂが第２野縁４の中に入り込むと共に、嵌入部１２の各突出部１２ｄが第２野縁４の折り返し部４ｂの中に入り込む。これにより、第２野縁４から嵌入部１２が抜けようとしても、突出部１２ｄが折り返し部４ｂに引っ掛かる。従って、第２野縁４からの接続金物１の抜けが確実に防止される。更に、折り返し部２１の底面部２１ｂと第２野縁４とをビス止めすれば、接続金物１の抜けは一層確実に阻止される。なお、折り返し部２１の底面部２１ｂと第２野縁４の底面４ｃとの間には、隙間が形成されていてもよい。
【００２３】
図３及び図４に示されるように、折り曲げ部１３は、上部１１の幅方向に一対に設けられている。折り曲げ部１３は第１野縁３に嵌入する。折り曲げ部１３は、嵌入部１２と同様、突出部１３ｂと窪み１３ａとを一対に備えている。各突出部１３ｂは第１野縁３の折り返し部３ｂの中に入り込み、これにより第１野縁３からの接続金物１の抜けが確実に防止される。
【００２４】
折り曲げ部１３の下側には折り曲げ部２２が設けられている。折り曲げ部２２は、折り返し部２１と同様、側面部２２ａ及び底面部２２ｂを備えている。側面部２２ａは、折り曲げ部１３から下方に延びている。底面部２２ｂは、側面部２２ａの下端から接続金物１の幅方向の外側に折り曲げられている。なお、底面部２２ｂは、側面部２２ａの下端から接続金物１の内側に折り曲げられていてもよい。しかしながら、前述のように、底面部２２ｂが接続金物１の外側に折り曲げられている場合には、底面部２２ｂ同士の干渉が回避されるので施工をしやすくなるという利点がある。
【００２５】
２つの折り曲げ部１３のうちの一方の上端には、上部１１の幅方向に窪んだ凹部１４が設けられている。凹部１４は、鉛直方向上方から見て周囲よりも内側に窪む部位である。また、凹部１４の形状は、例えば矩形状である。この凹部１４は、野縁受け２を接続する野縁取付金物６を収容する収容部（嵌入部）である。すなわち、本実施形態において、凹部１４は、接続金物１とは別の金物を側方から収容する収容部である。
【００２６】
次に、図６を参照しながら第１野縁３及び第２野縁４に接続金物１を取り付けて第１野縁３と第２野縁４を接続する接続方法について説明する。本実施形態において、接続金物１は、２本の第２野縁４と、２本の第２野縁４の間を通る１本の第１野縁３と、を接続する。図６に示されるように、まず、鉛直方向上方から接続金物１を第１野縁３に嵌入する（第１嵌入部を嵌入する工程）。このとき、第１野縁３の中に折り曲げ部１３を上から嵌入し、折り曲げ部１３の突出部１３ｂを一つずつ折り返し部３ｂに嵌入させることによって、第１野縁３に接続金物１を固定させる。
【００２７】
続いて、接続金物１に下から第２野縁４を嵌入させる（第２野縁を嵌入する工程）。このとき、接続金物１の各嵌入部１２に下から第２野縁４を嵌入させる。具体的には、各折り返し部２１及び嵌入部１２に対し、下から第２野縁４を押し込んで、嵌入部１２の突出部１２ｄを一つずつ折り返し部４ｂに嵌入させる。このように接続金物１に各第２野縁４を固定させることによって、接続金物１の取り付けが完了する。
【００２８】
次に、図７及び図８を参照しながら野縁受け２、第１野縁３及び第２野縁４の交差部分Ｐ２を接続する接続方法について説明する。まず、図７に示されるように、吊材Ｔに野縁受け２を連結した状態にしておく。ここで、野縁受け２と吊材Ｔとの連結位置は、交差部分Ｐ２から第２方向Ｄ２にずれた箇所とする。そして、野縁受け２に野縁取付金物６を取り付ける。その後、接続金物１を第１野縁３に嵌入し、このとき、野縁取付金物６を接続金物１の凹部１４に嵌入させる。
【００２９】
野縁取付金物６は、例えば長方形状に延びる金属板が折り曲げ加工されたものである。野縁取付金物６は、その長手方向の一端に位置して野縁受け２に引っ掛けられる折り返し部６ａと、野縁取付金物６の長手方向の他端に位置して凹部１４及び第１野縁３に引っ掛けられる引掛部６ｂとを備えている。引掛部６ｂの形状は、前述した折り曲げ部１３の形状と同様である。引掛部６ｂは、突出部６ｄと窪み６ｃとを左右一対に備える。
【００３０】
図８に示されるように、第１野縁３と野縁取付金物６に嵌入させた接続金物１を取り付けた後には、前述と同様、接続金物１に下から各第２野縁４を嵌入させる。これにより、接続金物１及び野縁取付金物６による、野縁受け２、第１野縁３及び第２野縁４の接続が完了する。
【００３１】
次に、本実施形態に係る接続金物１及び接続方法の作用効果について説明する。
【００３２】
本実施形態に係る接続金物１は、鉛直方向上方から見たときに内側に窪んだ凹部１４を有するので、凹部１４に野縁受け２を接続する野縁取付金物６を収容することができる。凹部１４に野縁取付金物６を収容することにより、鉛直方向上方から見たときの野縁取付金物６の位置と接続金物１の位置とを一致させることができると共に、野縁受け２と第２野縁４の平面視における位置を一致させることができる。従って、第２野縁４の上に安定して野縁受け２を配置することができる。よって、第２野縁４の上に野縁受け２を配置することにより、接続箇所を減らして作業性を向上させることができる。
【００３３】
特に、本実施形態では、接続金物１は、第１野縁３と第２野縁４を接続すると共に、野縁取付金物６を介して野縁受け２と第１野縁３を接続している。従って、接続金物１は、第１野縁３及び第２野縁４の上に野縁受け２をバランスよく接続させることができる。また、１箇所で野縁受け２、第１野縁３及び第２野縁４を接続するので、野縁受け２、第１野縁３及び第２野縁４の接続作業を一層容易に行うことができる。
【００３４】
また、接続金物１は、第２野縁４に沿うように折り返された折り返し部２１を備える。このように、第２野縁４に沿った折り返し部２１を有することにより、第２野縁４からの接続金物１の抜けを一層確実に防止できる。従って、第２野縁４に接続金物１を一層強固に接続させることができる。同様に、接続金物１は、第１野縁３に沿うように折り曲げられた折り曲げ部２２を備えるので、第１野縁３に接続金物１を一層強固に接続させることができる。
【００３５】
更に、本実施形態に係る接続方法では、第１野縁３に鉛直方向上方から接続金物１の折り曲げ部１３を嵌入し、嵌入部１２に鉛直方向下方から第２野縁４を嵌入する。従って、嵌入のみで接続金物１を確実に接続させることができるので、第１野縁３及び第２野縁４への接続作業を容易に行うことができる。
【００３６】
以上、本発明の実施形態について説明したが、本発明は、前述の実施形態に限定されるものではなく、各請求項に記載した要旨を変更しない範囲で変形し、又は他のものに適用したものであってもよい。すなわち、本発明は、各請求項の要旨を変更しない範囲で種々の変更が可能である。
【００３７】
例えば、前述の実施形態では、長方形状の上部１１と、上部１１から折り曲げられた一対の嵌入部１２と、上部１１の幅方向両端から下方に折り曲げられた一対の折り曲げ部１３とを備える接続金物１について説明した。しかしながら、本発明に係る接続金物の形状及び大きさは、接続金物１の形状及び大きさに限定されず適宜変更可能である。例えば、折り返し部２１又は折り曲げ部２２を省略してもよいし、折り返し部２１及び折り曲げ部２２の形状を適宜変更することも可能である。
【００３８】
また、前述の実施形態では、第２野縁４の上に野縁受け２が設置されると共に、野縁取付金物６が接続金物１の凹部１４に収容される例について説明した。しかしながら、第２野縁４の上に野縁受け以外のものが設置されてもよいし、野縁取付金物６以外のものが凹部１４に収容されてもよい。
【００３９】
また、前述の実施形態では、野縁受け２が第２野縁４の上で第２方向Ｄ２に延在し、第１野縁３が第１方向Ｄ１に延在する天井構造について説明した。しかしながら、本発明に係る接続金物及び接続方法は他の様々な天井構造にも適用可能であり、野縁受け及び野縁の配置は、野縁受け２、第１野縁３及び第２野縁４の配置と異なっていてもよい。例えば、交差部分において、第１野縁が２本に分断されていてもよいし、２本の第１野縁の間に第２野縁が通っていてもよい。更に、天井面材、野縁取付金物及び吊材の形状、大きさ、数及び配置についても、前述の天井面材５、野縁取付金物６及び吊材Ｔに限定されず、適宜変更可能である。
【符号の説明】
【００４０】
１…接続金物、２…野縁受け、３…第１野縁、３ａ…側面、３ｂ…折り返し部、４…第２野縁、４ａ…端部、４ｂ…折り返し部、４ｃ…底面、５…天井面材、６…野縁取付金物、６ａ…折り返し部、６ｂ…引掛部、６ｃ…窪み、６ｄ…突出部、１１…上部、１１ａ…溝部、１２…嵌入部（第２嵌入部）、１２ａ…側面部、１２ｂ…下面部、１２ｃ…窪み、１２ｄ…突出部、１３…折り曲げ部（第１嵌入部）、１３ａ…窪み、１３ｂ…突出部、１４…凹部、２１…折り返し部、２１ａ，２２ａ…側面部、２１ｂ，２２ｂ…底面部、２２…折り曲げ部、Ｄ１…第１方向、Ｄ２…第２方向、Ｐ１，Ｐ２…交差部分、Ｔ…吊材。
【図１】
2018040216.tif 000003
【図２】
2018040216.tif 000004
【図３】
2018040216.tif 000005
【図４】
2018040216.tif 000006
【図５】
2018040216.tif 000007
【図６】
2018040216.tif 000008
【図７】
2018040216.tif 000009
【図８】
2018040216.tif 000010